(57)【要約】【課題】  電子アルバムを構成する画像の表示とともに、アルバム内の画像がいつ撮影されたものなのかという情報など、電子アルバムに関連する情報をも表示することが可能なデジタルカメラを提供すること。【解決手段】  撮影した画像を管理する制御ファイルと、制御ファイルに基づいて、１つ以上の画像により構成されるアルバムを作成し管理するアルバム機能と、画像を表示する表示手段とを備えるデジタルカメラであって、制御ファイルに基づいて、アルバムを構成する画像の画像数であるアルバム登録画像数を取得する手段と、制御ファイルに基づいて、アルバムを構成する任意の画像の撮影日を取得する手段とをさらに備え、アルバムを構成する任意の画像とともに、取得したアルバム登録画像数およびアルバムを構成する全ての画像の撮影日に基づいた、アルバムを構成する全ての画像の撮影期間を表示することを特徴とする。【選択図】      図２５
2005286682.tif 000002
【特許請求の範囲】
【請求項１】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラにおいて、
前記制御ファイルに基づいて、前記アルバムを構成する画像の画像数であるアルバム登録画像数を取得するアルバム登録画像数取得手段と、
前記制御ファイルに基づいて、前記アルバムを構成する任意の画像の撮影日を取得する撮影日取得手段とをさらに備え、
前記表示手段は、前記アルバムを構成する任意の画像とともに、前記アルバム登録画像数取得手段によって取得したアルバム登録画像数および前記撮影日取得手段によって取得したアルバムを構成する全ての画像の撮影日に基づいた、前記アルバムを構成する全ての画像の撮影期間を表示することを特徴とするデジタルカメラ。
【請求項２】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラにおいて、
前記制御ファイルと、予め定められた前記アルバムを構成することが可能な最大登録画像数とに基づいて、前記アルバムに登録することが可能な残り枚数であるアルバム残り登録枚数を取得するアルバム残り登録枚数取得手段と、
前記制御ファイルに基づいて、前記アルバムを構成する任意の画像の撮影日を取得する撮影日取得手段とをさらに備え、
前記表示手段は、前記アルバムを構成する任意の画像とともに、前記アルバム残り登録枚数取得手段によって取得したアルバム残り登録枚数および前記撮影日取得手段によって取得したアルバムを構成する全ての画像の撮影日に基づいた、前記アルバムを構成する全ての画像の撮影期間を表示することを特徴とするデジタルカメラ。
【請求項３】
前記表示装置は、前記制御ファイルに基づいて、前記アルバムを作成した日付をさらに表示することを特徴とする請求項１または２に記載のデジタルカメラ。
【請求項４】
前記制御ファイルに基づいて、前記アルバムを構成する全ての画像の容量、前記アルバムを構成する画像の品質、および前記アルバムを構成する画像の種類を示す画像情報を取得する画像情報取得手段をさらに備え、
前記表示手段は、前記画像情報取得手段によって取得した画像情報をさらに表示することを特徴とする請求項１乃至３の何れか１項に記載のデジタルカメラ。
【請求項５】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラが実行するアルバム管理方法であって、
前記制御ファイルに基づいて、前記アルバムを構成する画像の画像数であるアルバム登録画像数を取得し、
前記制御ファイルに基づいて、前記アルバムを構成する任意の画像の撮影日を取得し、
前記表示手段による表示は、前記アルバムを構成する任意の画像とともに、前記取得したアルバム登録画像数および前記取得したアルバムを構成する全ての画像の撮影日に基づいた、前記アルバムを構成する全ての画像の撮影期間を表示することを特徴とするアルバム管理方法。
【請求項６】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラが実行するアルバム管理方法であって、
前記制御ファイルと、予め定められた前記アルバムを構成することが可能な最大登録画像数とに基づいて、前記アルバムに登録することが可能な残り枚数であるアルバム残り登録枚数を取得し、
前記制御ファイルに基づいて、前記アルバムを構成する任意の画像の撮影日を取得し、
前記表示手段による表示は、前記アルバムを構成する任意の画像とともに、前記取得したアルバム残り登録枚数および前記取得したアルバムを構成する全ての画像の撮影日に基づいた、前記アルバムを構成する全ての画像の撮影期間を表示することを特徴とするアルバム管理方法。
【請求項７】
前記表示手段による表示は、前記制御ファイルに基づいて、前記アルバムを作成した日付をさらに表示することを特徴とする請求項５または６に記載のアルバム管理方法。
【請求項８】
前記制御ファイルに基づいて、前記アルバムを構成する全ての画像の容量、前記アルバムを構成する画像の品質、および前記アルバムを構成する画像の種類を示す画像情報を取得し、
前記表示手段による表示は、前記取得した画像情報をさらに表示することを特徴とする請求項５乃至７の何れか１項に記載のアルバム管理方法。
【請求項９】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラに対して、
前記制御ファイルに基づいて、前記アルバムを構成する画像の画像数であるアルバム登録画像数を取得する手順と、
前記制御ファイルに基づいて、前記アルバムを構成する任意の画像の撮影日を取得する手順と、
前記表示手段によって、前記アルバムを構成する任意の画像とともに、前記取得したアルバム登録画像数および前記取得したアルバムを構成する全ての画像の撮影日に基づいた、前記アルバムを構成する全ての画像の撮影期間を表示する手順と、
を実行させるためのアルバム管理プログラム。
【請求項１０】
撮影した画像を管理する制御ファイルと、
前記制御ファイルに基づいて、１つ以上の画像により構成されるアルバムを作成し管理するアルバム機能と、
画像を表示する表示手段と、
を備えるデジタルカメラに対して、
前記制御ファイルと、予め定められた前記アルバムを構成することが可能な最大登録画像数とに基づいて、前記アルバムに登録することが可能な残り枚数であるアルバム残り登録枚数を取得する手順と、
前記制御ファイルに基づいて、前記アルバムを構成する任意の画像の撮影日を取得する手順と、
前記表示手段によって、前記アルバムを構成する任意の画像とともに、前記取得したアルバム残り登録枚数および前記取得したアルバムを構成する全ての画像の撮影日に基づいた、前記アルバムを構成する全ての画像の撮影期間を表示する手順と、
を実行させるためのアルバム管理プログラム。
【請求項１１】
前記表示手段による表示の手順は、前記制御ファイルに基づいて、前記アルバムを作成した日付をさらに表示することを特徴とする請求項９または１０に記載のアルバム管理プログラム。
【請求項１２】
前記制御ファイルに基づいて、前記アルバムを構成する全ての画像の容量、前記アルバムを構成する画像の品質、および前記アルバムを構成する画像の種類を示す画像情報を取得する手順をさらに備え、
前記表示手段による表示の手順は、前記取得した画像情報をさらに表示することを特徴とする請求項９乃至１１の何れか１項に記載のアルバム管理プログラム。
【発明の詳細な説明】
【技術分野】
【０００１】
本発明は、アルバム機能を有するデジタルカメラ、該デジタルカメラによる電子アルバムのアルバム管理方法及びアルバム管理プルグラムに関し、特に、上記電子アルバムを構成する画像の表示とともに、上記電子アルバムに関連する情報をも表示するデジタルカメラ、アルバム管理方法、およびアルバム管理プログラムに関するものである。
【背景技術】
【０００２】
従来、デジタルカメラ（以下、単に「カメラ」と称することとする）での撮影等によって大量に溜まった画像を、例えば撮影日や撮影場所、運動会や旅行などといった行事によって分類して管理する、アルバムソフトというものがある。以前は、アルバムソフトはユーザ宅等に設置されているＰＣ上で実行される形態で使用されるものであったため、アルバムソフトによって提供される機能、例えばアルバムの作成、アルバムへの画像の追加及び削除、他のアルバムへの画像の差し替え、アルバムの閲覧、などといった機能はユーザ宅等でしか行うことができなかった。その一方、画像を撮影したその場で、あるいはＰＣがその場にない旅行先等でアルバムの閲覧をしたい、等のユーザの要望に応えるべく、アルバム機能を搭載したカメラなども昨今は市販されている。
【０００３】
アルバム機能を搭載したカメラにおける画像データ管理の手法について図３８を参照しながら説明する。
図３８は、カメラにおいて画像データを格納しておくメモリカード等の記録媒体での画像データファイルの管理構造を示しており、（ａ）は画像データファイルを重複させる管理例を、また（ｂ）は画像リストファイルによる管理例を示している。
【０００４】
（ａ）に示すフォルダ構造では、画像ルートフォルダＤＣＩＭとアルバムルートフォルダＡＬＢＵＭとがルートディレクトリＲＯＯＴの直下に配置されている。
画像ルートフォルダＤＣＩＭは、画像データファイルを格納する根元のフォルダであり、そのフォルダ内の直下には、画像格納用フォルダとして１００ＯＬＹＭＰなるフォルダが格納されている。（ａ）において、この１００ＯＬＹＭＰフォルダにはカメラで撮影した画像についての画像データファイルが格納される。すなわち、同図においては００１．ＪＰＧ、００２．ＪＰＧ、００３．ＪＰＧ、…等の画像データファイルが１００ＯＬＹＭＰフォルダに格納されている。
【０００５】
一方、アルバムルートフォルダＡＬＢＵＭは、アルバムに含まれている画像データファイルを格納する根元のフォルダであり、そのフォルダ内には、ＡＬＢＵＭ１、ＡＬＢＵＭ２、…等のアルバムフォルダが格納されている。（ａ）においては、このうちのＡＬＢＵＭ１なるアルバムフォルダにＸＸＸ．ＪＰＧ、００３．ＪＰＧ、ＹＹＹ．ＪＰＧ、…等の画像データファイルが格納されていることが示されており、このフォルダ構造によって、これらの画像データファイルで表現されている画像が「ＡＬＢＵＭ１」なるアルバムに属している（含まれている）ことが表されている。
【０００６】
ところで、この（ａ）において、矢印を付している画像データファイル００３．ＪＰＧは画像ルートフォルダＤＣＩＭとアルバムルートフォルダＡＬＢＵＭとの両方に格納されている。すなわち、この記録媒体にはデータ内容が同一である画像データファイルが２つ存在しているため、記録領域を無駄に消費していることとなる。カメラにおいては、このような記録領域の無駄な消費は撮影可能枚数の減少に繋がるため余り好ましいことではない。しかも、この記録領域の消費は、同一の画像データファイルが複数のアルバムに属している場合には更に増大してしまう。
【０００７】
一方、（ｂ）に示すフォルダ構造では、画像ルートフォルダＤＣＩＭとアルバムリストファイルＡＬＢＵＭ．ＰＶＭとがルートフォルダＲＯＯＴの直下に格納されている。
（ｂ）における画像ルートフォルダＤＣＩＭも、（ａ）と同様、画像データファイルについての根元のフォルダであり、その直下には画像格納用フォルダとして１００ＯＬＹＭＰなるフォルダが格納されている。但し、（ｂ）においては、この１００ＯＬＹＭＰフォルダにはカメラで撮影した画像についての画像データファイルが格納されると共に、アルバムに含まれている画像データファイルも格納される。なお、同図においては、００１．ＪＰＧ、００２．ＪＰＧ、００３．ＪＰＧ、…、ＸＸＸ．ＪＰＧ、ＹＹＹ．ＪＰＧ、…、等の画像データファイルが１００ＯＬＹＭＰフォルダに格納されている。
【０００８】
アルバムリストファイルＡＬＢＵＭ．ＰＶＭは、画像ルートフォルダＤＣＩＭに格納されている画像データファイルとその画像データファイルが属している（その画像データファイルを含んでいる）アルバムとの関係を示している関係情報ファイルである。このアルバムリストファイルは、（ｂ）に示されているように、各アルバムに属している画像データファイルのファイル名がアルバム毎に並べられたデータ構造を有しており、このアルバム毎のファイル名の並びによって画像データファイルとアルバムとの従属関係を示している。同図に示されているＡＬＢＵＭ．ＰＶＭのデータ例によれば、例えば「ＡＬＢＵＭ１」なるアルバムに属している画像データファイルは、ＸＸＸ．ＪＰＧ、００３．ＪＰＧ、ＹＹＹ．ＪＰＧ、…等であることが示されており、画像データファイルとアルバムとの関係が同図（ａ）と同様に示されている。なお、同図に示すＡＬＢＵＭ．ＰＶＭのデータ例では、画像データファイルが格納されているフォルダを示す情報（１００ＯＬＹＭＰ）は省略している。
【０００９】
この（ｂ）に示すようなアルバムリストファイルを用いて画像データファイルとアルバムとの従属関係を表す手法を採用することにより、（ａ）のような、同一の画像データファイルを記録媒体に複数格納しておくような記録領域の無駄な消費が解消されるので、記録容量の制約が厳しいカメラの記録媒体を効率的に利用することが可能となる。
【００１０】
なお、画像リストファイルを用いてアルバムの管理を行う手法は、光ストレージの標準化団体であるＯＳＴＡ（Optical Storage Technology Association）で開発されたＭＰＶ（Music Photo Video ）規格でも提案されている。
このようなアルバムソフト、あるいはアルバム機能搭載のカメラによる電子アルバムは、メディア内にフォルダ単位で作成され、ユーザが任意のフォルダに画像を保存することができるようになっている。そして、この電子アルバムを開けば、対応したフォルダ内の画像を閲覧することができ、画像を整理するのに役立っている（例えば、特許文献１参照。）。
【特許文献１】特開平１１−３４１４２１号公報
【発明の開示】
【発明が解決しようとする課題】
【００１１】
しかしながら、アルバム内の画像がいつ撮影されたものなのかを把握する手段が無く、アルバムの数が増えてくると画像を整理しにくいという問題点があった。
また、画像を整理しにくいために画像を整理している途中で間違えて大切な画像やアルバムを消去してしまう危険性があるという問題点があった。
【００１２】
本発明は、上記従来技術の欠点に鑑みてなされたもので、電子アルバムを構成する画像の表示とともに、１つのアルバム内に画像データファイルがいくつ格納されているのか、そのアルバムにはあといくつの画像データを格納することができるのかという情報や、アルバム内の画像がいつ撮影されたものなのかという情報など、上記電子アルバムに関連する情報をも表示することが可能なデジタルカメラ、アルバム管理方法、およびアルバム管理プログラムを提供することを目的とする。
【課題を解決するための手段】
【００１３】
本発明は、上記課題を解決するため、下記のような構成を採用した。
すなわち、本発明の一態様によれば、本発明のデジタルカメラは、撮影した画像を管理する制御ファイルと、上記制御ファイルに基づいて、１つ以上の画像により構成されるアルバムを作成し管理するアルバム機能と、画像を表示する表示手段とを備えるデジタルカメラであって、上記制御ファイルに基づいて、上記アルバムを構成する画像の画像数であるアルバム登録画像数を取得するアルバム登録画像数取得手段と、上記制御ファイルに基づいて、上記アルバムを構成する任意の画像の撮影日を取得する撮影日取得手段とをさらに備え、上記表示手段が、上記アルバムを構成する任意の画像とともに、上記アルバム登録画像数取得手段によって取得したアルバム登録画像数および上記撮影日取得手段によって取得したアルバムを構成する全ての画像の撮影日に基づいた、上記アルバムを構成する全ての画像の撮影期間を表示することを特徴とする。
【００１４】
また、本発明の一態様によれば、本発明のデジタルカメラは、撮影した画像を管理する制御ファイルと、上記制御ファイルに基づいて、１つ以上の画像により構成されるアルバムを作成し管理するアルバム機能と、画像を表示する表示手段とを備えるデジタルカメラであって、上記制御ファイルと、予め定められた上記アルバムを構成することが可能な最大登録画像数とに基づいて、上記アルバムに登録することが可能な残り枚数であるアルバム残り登録枚数を取得するアルバム残り登録枚数取得手段と、上記制御ファイルに基づいて、上記アルバムを構成する任意の画像の撮影日を取得する撮影日取得手段とをさらに備え、上記表示手段が、上記アルバムを構成する任意の画像とともに、上記アルバム残り登録枚数取得手段によって取得したアルバム残り登録枚数および上記撮影日取得手段によって取得したアルバムを構成する全ての画像の撮影日に基づいた、上記アルバムを構成する全ての画像の撮影期間を表示することを特徴とする。
【００１５】
また、本発明のデジタルカメラは、上記表示装置が、上記制御ファイルに基づいて、上記アルバムを作成した日付をさらに表示することが望ましい。
また、本発明のデジタルカメラは、上記制御ファイルに基づいて、上記アルバムを構成する全ての画像の容量、上記アルバムを構成する画像の品質、および上記アルバムを構成する画像の種類を示す画像情報を取得する画像情報取得手段をさらに備え、上記表示手段が、上記画像情報取得手段によって取得した画像情報をさらに表示することが望ましい。
【００１６】
また、本発明の一態様によれば、本発明のアルバム管理方法は、撮影した画像を管理する制御ファイルと、上記制御ファイルに基づいて、１つ以上の画像により構成されるアルバムを作成し管理するアルバム機能と、画像を表示する表示手段とを備えるデジタルカメラが実行するアルバム管理方法であって、上記制御ファイルに基づいて、上記アルバムを構成する画像の画像数であるアルバム登録画像数を取得し、上記制御ファイルに基づいて、上記アルバムを構成する任意の画像の撮影日を取得し、上記表示手段による表示が、上記アルバムを構成する任意の画像とともに、上記取得したアルバム登録画像数および上記取得したアルバムを構成する全ての画像の撮影日に基づいた、上記アルバムを構成する全ての画像の撮影期間を表示することを特徴とする。
【００１７】
また、本発明の一態様によれば、本発明のアルバム管理方法は、撮影した画像を管理する制御ファイルと、上記制御ファイルに基づいて、１つ以上の画像により構成されるアルバムを作成し管理するアルバム機能と、画像を表示する表示手段とを備えるデジタルカメラが実行するアルバム管理方法であって、上記制御ファイルと、予め定められた上記アルバムを構成することが可能な最大登録画像数とに基づいて、上記アルバムに登録することが可能な残り枚数であるアルバム残り登録枚数を取得し、上記制御ファイルに基づいて、上記アルバムを構成する任意の画像の撮影日を取得し、上記表示手段による表示が、上記アルバムを構成する任意の画像とともに、上記取得したアルバム残り登録枚数および上記取得したアルバムを構成する全ての画像の撮影日に基づいた、上記アルバムを構成する全ての画像の撮影期間を表示することを特徴とする。
【００１８】
また、本発明のアルバム管理方法は、上記表示手段による表示が、上記制御ファイルに基づいて、上記アルバムを作成した日付をさらに表示することが望ましい。
また、本発明のアルバム管理方法は、上記制御ファイルに基づいて、上記アルバムを構成する全ての画像の容量、上記アルバムを構成する画像の品質、および上記アルバムを構成する画像の種類を示す画像情報を取得し、上記表示手段による表示が、上記取得した画像情報をさらに表示することが望ましい。
【００１９】
また、本発明の一態様によれば、本発明のアルバム管理プログラムは、撮影した画像を管理する制御ファイルと、上記制御ファイルに基づいて、１つ以上の画像により構成されるアルバムを作成し管理するアルバム機能と、画像を表示する表示手段とを備えるデジタルカメラに対して、上記制御ファイルに基づいて、上記アルバムを構成する画像の画像数であるアルバム登録画像数を取得する手順と、上記制御ファイルに基づいて、上記アルバムを構成する任意の画像の撮影日を取得する手順と、上記表示手段によって、上記アルバムを構成する任意の画像とともに、上記取得したアルバム登録画像数および上記取得したアルバムを構成する全ての画像の撮影日に基づいた、上記アルバムを構成する全ての画像の撮影期間を表示する手順とを実行させるためのアルバム管理プログラムであることを特徴とする。
【００２０】
また、本発明の一態様によれば、本発明のアルバム管理プログラムは、撮影した画像を管理する制御ファイルと、上記制御ファイルに基づいて、１つ以上の画像により構成されるアルバムを作成し管理するアルバム機能と、画像を表示する表示手段とを備えるデジタルカメラに対して、上記制御ファイルと、予め定められた上記アルバムを構成することが可能な最大登録画像数とに基づいて、上記アルバムに登録することが可能な残り枚数であるアルバム残り登録枚数を取得する手順と、上記制御ファイルに基づいて、上記アルバムを構成する任意の画像の撮影日を取得する手順と、上記表示手段によって、上記アルバムを構成する任意の画像とともに、上記取得したアルバム残り登録枚数および上記取得したアルバムを構成する全ての画像の撮影日に基づいた、上記アルバムを構成する全ての画像の撮影期間を表示する手順とを実行させるためのアルバム管理プログラムであることを特徴とする。
【００２１】
また、本発明のアルバム管理プログラムは、上記表示手段による表示の手順が、上記制御ファイルに基づいて、上記アルバムを作成した日付をさらに表示することが望ましい。
また、本発明のアルバム管理プログラムは、上記制御ファイルに基づいて、上記アルバムを構成する全ての画像の容量、上記アルバムを構成する画像の品質、および上記アルバムを構成する画像の種類を示す画像情報を取得する手順をさらに備え、上記表示手段による表示の手順が、上記取得した画像情報をさらに表示することが望ましい。
【発明の効果】
【００２２】
また、本発明によれば、アルバム内画像が撮影された期間をアルバム表紙と同画面に表示することで、ユーザは撮ったときの状況を思い出し易く、画像を整理し易くなる。
また、本発明によれば、アルバムを作成または変更した日時をアルバム表紙と同画面に表示することで、ユーザはアルバムを作成・編集した日時を把握でき、画像を整理し易くなる。
【００２３】
また、本発明によれば、アルバムが保存されているフォルダを表示することによって、ＰＣ等で編集する際に間違えて消去してしまう危険を回避でき、アルバムの容量を表示することによって、アルバムの使用しているメディア容量を把握でき、整理しやすい。さらに、アルバム内の画像品質を表示させることで、アルバム内の画像は椅麗なのか、粗いのか、アルバムに入っている画像が必要なのかどうかを判断しやすくなる。
【００２４】
また、本発明によれば、アルバムに関する情報を一覧表示させることで、アルバムや画像の整理をし易くなる。
また、本発明によれば、アルバムに登録できる枚数をユーザ自身が設定することで、ユーザはアルバムに入る画像数を把握し易くなる。
【００２５】
すなわち、本発明によれば、アルバム内の画像がいつ撮影されたものなのかという情報など、電子アルバムに関連する情報を瞬時かつ容易に把握することができ、撮影された画像を整理するのが容易になる。
【発明を実施するための最良の形態】
【００２６】
以下、図面を参照しながら本発明の実施の形態について述べる。
まず、本発明の実施例であるアルバム機能の概要について、図１を参照しながら説明する。
図１は、アルバム機能の実施例の概要を説明するための図である。
【００２７】
図１において、カメラ１０とＰＣ４０とは、ＵＳＢ（Universal Serial Bus）バス６０を介して接続されており、各種のデータを相互に授受することができる。本実施形態においては、カメラ１０で撮影された画像を一旦ＰＣ４０に転送し、ＰＣ４０でその画像についてのアルバムの作成を行い、作成されたアルバムをＰＣ４０からカメラ１０へ転送する。従って、ユーザは、カメラ１０を携行していれば、ＰＣ４０がその場になくてもアルバムを鑑賞することができる。
【００２８】
図１について更に説明する。カメラ１０には、着脱自在なメモリカード１１が装着されており、各種のデータをメモリカード１１に記録しておくことができる。このメモリカード１１には画像ルートフォルダ１２及びアルバムリストファイル１５が格納されており、これらはいずれもメモリカード１１の記録領域におけるルートディレクトリの直下に配置されている。
【００２９】
カメラ１０で直近に撮影された画像は、画像ルートフォルダ（「ＤＣＩＭ」フォルダ）１２内の画像格納フォルダ（「１００ＯＬＹＭＰ」フォルダ）１３に、画像データファイル１４−１、１４−２、…、１４−ｎ、…（以下、「１４−ｎ」と代表して示す）として格納される。なお、後述するように、画像ルートフォルダ１２内には、カメラ１０で直近に撮影された画像のみならず、アルバムに登録されている（アルバムに含まれている）画像についての画像データファイルも特に区別されることなく格納されるので、カメラ１０で直近に撮影された画像についての画像データファイル１４−ｎについてのファイル名がアルバムリストファイル１５に示されている撮影リスト（「ＳＨＯＴ」）１６に撮影順に追記される。従って、カメラ１０で直近に撮影された画像をカメラ１０からＰＣ４０へ転送するときには、カメラ１０は撮影リスト１６に示されているファイル名である画像データファイル１４−ｎを画像ルートフォルダ１２内から探し出してＰＣ４０へ転送する処理を行う。ＰＣ４０では、カメラ１０から送られてきた画像データファイル１４−ｎを撮影画像データファイル４３−１、４３−２、…、４３−ｎ、…（以下、「４３−ｎ」と代表して示す）として撮影画像フォルダ（「ＭＹＣＡＭＥＲＡ」フォルダ）４２に格納する。撮影画像フォルダ４２はＰＣ４０が有しているＨＤＤ（Hard Disk Drive ）４１の記憶領域に設けられている。
【００３０】
アルバムリストファイル（「ＡＬＢＵＭ．ＰＶＭ」ファイル）１５は画像データファイル１４−ｎの各々と画像データファイル１４−ｎを含んでいる（画像データファイル１４−ｎが属している）アルバムとの関係（従属関係）を表しているファイルであり、各ファイルのファイル名を、そのファイルを含んでいるアルバム毎に並べたアルバムリスト１７によってその関係が表されている。このアルバムリスト１７におけるファイル名の並びにおいて、その先頭には当該アルバムの表紙に相当する表紙画像についての画像データファイルのファイル名を記すようにする。この表紙画像は前述した指定画像に相当するものである。
【００３１】
なお、前述したように、アルバムリストファイル１５には撮影リスト１６も示されている。
なお、本実施形態においては、アルバムリスト１７で管理されるアルバムの個数は予め決められており、各アルバムには、「ＡＬＢＵＭ１」、「ＡＬＢＵＭ２」、「ＡＬＢＵＭ３」、…などと名称が定められているものとする。
【００３２】
アルバムリストファイル１５はアルバムに含まれる画像を表している画像データファイル１４−ｎと共にＰＣ４０から送られてくるものである。カメラ１０は、画像データファイル１４−ｎとアルバムリストファイル１５とがＰＣ４０から送られてくると、画像データファイル１４−ｎについては画像格納フォルダ１３に格納し、アルバムリストファイル１５についてはメモリカード１１の記録領域におけるルートディレクトリの直下に上書きする。但し、このとき、撮影リスト１６は上書き前のものがそのまま保持される。また、アルバムリストファイル１５が存在しないメモリカード１１がカメラ１０に装着されたときには、カメラ１０で撮影した画像についての情報を撮影リスト１６に記す必要があるため、アルバムリストファイル１５が新たに生成されてメモリカード１１に格納される。
【００３３】
以上のように、本実施例におけるカメラ１０におけるメモリカード１１内での画像データファイルの管理構造は、図３８の（ｂ）に示した画像リストファイルによる管理構造を採用しているが、アルバムリスト１７におけるファイル名の並びの先頭には当該アルバムの表紙に相当する表紙画像についての画像データファイルのファイル名が記されるという特徴を有している。
【００３４】
なお、説明を簡単にするため、本実施形態においてはデータ内容の異なるデータファイルのファイル名が画像ルートフォルダ１２内で重複することはないものとする。従って、撮影リスト１６及びアルバムリスト１７に示されているファイル名のみで、画像ルートフォルダ１２内の画像データファイル１４−ｎを唯一つに特定することができる。ここで、例えばファイルの作成日時やファイル名に加えてファイルの格納位置等を示す情報を撮影リスト１６及びアルバムリスト１７に示すようにして、画像ルートフォルダ１２内で画像データファイル１４−ｎのファイル名が重複していても画像データファイル１４−ｎを唯一つに特定できるようにしてもよい。
【００３５】
次に図２について説明する。
図２は、図１に示したカメラ１０及びＰＣ４０のハードウェア構成を示す図であり、（ａ）はカメラ１０の構成を、また（ｂ）はＰＣ４０の構成を、それぞれ示している。
（ａ）において、撮像処理部２３、画像処理部２４、ＲＡＭ２５、メモリＩ／Ｆ２６、表示処理部２７、ＵＳＢＩ／Ｆ２９、及びＣＰＵ３０はいずれもバス３３に接続されており、ＣＰＵ３０による管理の下で相互に各種のデータの授受を行うことができる。
【００３６】
レンズ２１によって結像された被写体像は、例えばＣＣＤ（Charge Coupled Device ）である撮像部２２によって電気信号に変換されて撮像処理部２３に入力される。撮像処理部２３では、入力された電気信号を所定の大きさまで増幅した後にアナログ−デジタル変換を行い、被写体像が表されている画像を示す画像データを出力する。
【００３７】
画像処理部２４は、撮像処理部２３から出力された画像データに対して、当該画像データで表現されている画像のγ補正やエッジ強調、ホワイトバランス補正等の画像処理を施す。また、画像データをメモリカード１１に記録する場合には、当該画像データに対してデータ圧縮処理を必要に応じて行う。更に、メモリカード１１に記録されている画像データで表されている画像の再生表示を行う場合には、メモリカード１１から読み出された画像データに対してデータ伸張処理を必要に応じて行う。
【００３８】
ＲＡＭ２５は、画像処理部２４やＣＰＵ３０が各種の処理を行う際に必要に応じて作業用として使用するランダム・アクセス・メモリである。
メモリＩ／Ｆ（インタフェース）２６はメモリカード１１をバス３３に接続するインタフェースであり、ＣＰＵ３０の管理の下でメモリカード１１に対する各種のデータの読み書きを可能とする。
【００３９】
表示処理部２７は、バス３３を経て送られてきた画像データをデジタル−アナログ変換して表示部２８へ与える。
表示部２８は例えばＬＣＤ（Liquid Crystal Display）であり、表示処理部２７に入力された画像データで表されている画像を表示する。
【００４０】
ＵＳＢ（Universal Serial Bus）Ｉ／Ｆ２５は図１に示したＵＳＢバス６０とバス３３とを接続するインタフェースであり、カメラ１０とＰＣ４０との間で各種のデータの授受を可能とする。
ＣＰＵ（Central Processing Unit ）３０はこのカメラ１０全体の動作制御を行う。
【００４１】
ＲＯＭ３１はＣＰＵ３０によって実行される制御プログラムやその実行の際に必要に応じて使用される各種のデータが格納されているリード・オンリ・メモリであり、ＣＰＵ３０はこの制御プログラムを実行することによって上述した動作制御が可能となる。
操作入力部３２はカメラ１０のユーザによって操作されるスイッチ類であり、操作の内容に対応付けられているユーザからの指示を取得してＣＰＵ２９へ渡す。
【００４２】
次に（ｂ）に示すＰＣ４０の構成について説明する。
（ｂ）において、ＣＰＵ５１、ＲＯＭ５２、ＲＡＭ５３、ＨＤＤ４１、入力部５４、データ読み取り装置５５、表示部５６、及びＵＳＢＩ／Ｆ５７はいずれもバス５８に接続されており、ＣＰＵ５１による管理の下で相互に各種のデータの授受を行うことができる。
【００４３】
ＣＰＵ５１はこのＰＣ４０全体の動作制御を行う。
ＲＯＭ５２はＣＰＵ５１によって実行される基本制御プログラムやその実行の際に必要に応じて使用される各種のデータが格納されているリード・オンリ・メモリであり、ＣＰＵ５１はこの基本制御プログラムを実行することによってＰＣ４０全体の動作制御が可能となる。
【００４４】
ＲＡＭ５３はＣＰＵ５１が各種の処理を行う際に必要に応じて作業用として使用するランダム・アクセス・メモリである。
ＨＤＤ４１は磁気ディスク記憶装置であり、前述した撮影画像データファイル４３−ｎの他、ＣＰＵ５１によって実行される各種の制御プログラムやその実行の際に必要に応じて使用される各種のデータを格納することもできる。
【００４５】
入力部５４は例えばマウス等のポインティングデバイスやキーボート装置などを有して構成されており、それらに対する操作の内容に対応付けられているユーザからの指示を取得する。
データ読取装置５５は、例えばＣＤ（Compact Disc）−ＲＯＭドライブやＤＶＤ（Digital Versatile Disc）−ＲＯＭドライブであり、ＣＤ−ＲＯＭやＤＶＤ−ＲＯＭ等の記録媒体５９に記録されている各種のデータを読み取る装置である。後述する画像管理ソフトウェアは記録媒体５９に記録されて配布される。ＰＣ４０では、データ読取装置５５で記録媒体５９からこの画像管理ソフトウェアを読み取ってＨＤＤ４１に予め格納しておき、ユーザによる当該管理ソフトウェアの実行指示が入力部５４へなされると、ＣＰＵ５１はＨＤＤ４１に格納されているこの画像管理ソフトウェアを読み出して実行する。
【００４６】
なお、記録媒体５９としてはインターネット等の通信回線に接続されているプログラムサーバとして機能するコンピュータシステムが備えている記憶装置であってもよい。この場合には、画像管理ソフトウェアを表現するデータ信号で搬送波を変調して得られる伝送信号を、プログラムサーバから伝送媒体である通信回線を通じてこのコンピュータへ伝送するようにし、ＰＣ４０にはこの通信回線との接続装置を備えてこの伝送信号を受信して復調して画像管理ソフトウェアを再現することによりこの画像管理ソフトウェアをＣＰＵ５１で実行できるようになる。
【００４７】
表示部５６はＬＣＤやＣＲＴ（Cathode Ray Tube）等であり、ＣＰＵ５１の指示に応じて所定の画像を表示する。
ＵＳＢＩ／Ｆ５７は図１に示したＵＳＢバス６０とバス５８とを接続するインタフェースであり、ＰＣ４０とカメラ１０との間で各種のデータの授受を可能とする。
【００４８】
なお、ＰＣ４０の構成は、標準的なコンピュータであれば大概のものが備えている構成である。
次に、ＰＣ４０のＣＰＵ５１によって実行される画像管理ソフトウェアについて説明する。このソフトウェアは、カメラ１０によって撮影された画像のＰＣ４０への取り込み、アルバムの作成及び編集、アルバムの表紙に相当する表紙画像の作成、アルバムのカメラ１０への転送、などの機能をＰＣ４０で提供する。以下、画像管理ソフトウェアを実行することでＣＰＵ５１によって行われる各種の制御処理について説明する。
【００４９】
図３は、撮影画像取得処理の処理内容を示すフローチャートである。
この撮影画像取得処理は、カメラ１０によって撮影された画像についての画像データファイル１４−ｎをカメラ１０から受け取ってＨＤＤ４１内の撮影画像フォルダ４２に撮影画像データファイル４３−ｎとして格納させる処理である。なお、この処理は、画像管理ソフトウェアが実行されているＰＣにおいて、当該処理の開始を示す指示が入力部５４に対してなされたとき、例えば、画像管理ソフトウェアの実行によって表示部５６に表示されている画面において、「画像読み込み」を示すボタン表示をポインタでクリックさせる操作が入力部５４に対してなされたときに実行が開始される。また、ＰＣ４０とカメラ１０とがＵＳＢバス６０を介して接続されたことがＣＰＵ５１によって検出されたときに自動的に開始されるようにしてもよい。
【００５０】
まず、ステップＳ１０１において撮影画像の転送を要求するカメラ１０宛のデータをＵＳＢＩ／Ｆ５７から送出する処理が行われる。
カメラ１０では、ＵＳＢバス６０を介して伝送されるこの転送要求データを受信すると、メモリカード１１に格納されている撮影リスト１６を参照し、そこにファイル名の示されている画像データファイル１４−ｎを画像ルートフォルダ１２から読み出し、そして読み出された画像データファイル１４−ｎをＰＣ４０へ宛ててＵＳＢＩ／Ｆ２９から送出する処理がＣＰＵ３０によって行われる。そして、その後、撮影リスト１６にファイル名の示されている全ての画像データファイル１４−ｎの転送が完了したときには、撮影画像の転送の完了の通知を示すデータをＰＣ４０へ宛ててＵＳＢＩ／Ｆ２９から送出する処理がＣＰＵ３０によって行われる。
【００５１】
ステップＳ１０２では、こうしてカメラ１０からＵＳＢバス６０を介して送られてきた画像データファイル１４−ｎをＵＳＢＩ／Ｆ５７で取得する処理が行われ、続くステップＳ１０３において、取得された画像データファイル１４−ｎをＨＤＤ４１内の撮影画像フォルダ４２へ撮影画像データファイル４３−ｎとして格納する処理が行われる。
【００５２】
その後、ステップＳ１０４において、撮影画像の転送の完了の通知を示すデータがカメラ１０から送られてきたか否かを判定する処理が行われ、当該通知を受信した（判定結果がＹｅｓ）ならば、ステップＳ１０５において、撮影画像の取得完了を示す画面を表示し、この撮影画像取得処理を終了する。一方、当該通知を未だ受信していない（判定結果がＮｏ）ならばステップＳ１０２へと処理を戻して上述した処理を繰り返す。
【００５３】
以上まで処理が撮影画像取得処理である。
次に図４及び図５について説明する。同図はアルバム操作処理の処理内容をフローチャートで示したものである。この処理は、アルバム編集、アルバムの表紙に相当する表紙画像の作成、表紙画像へのタイトル文字の合成、及びアルバムのカメラ１０への転送を行うための処理である。なお、この処理は、画像管理ソフトウェアが実行されているＰＣ４０において、当該処理の開始を示す指示が入力部５４に対してなされたとき、例えば、画像管理ソフトウェアの実行によって表示部５６に表示されている画面において、ポインタでクリックさせる操作等によってアルバムを操作する指示が入力部５４に対してなされたときに実行が開始される。
【００５４】
まず、図４のステップＳ１１１において、アルバム操作画面を表示部５６に表示させる処理が行われる。
アルバム操作画面を図６に例示する。なお、本実施形態においては、このとき、ＨＤＤ４１内の撮影画像フォルダ４２に格納されている撮影画像データファイル４３−ｎが読み出され、その撮影画像データファイル４３−ｎの各々によって表されている画像（この画像を「撮影画像」と称することとする）の一覧が図６における撮影画像表示部７１に表示される。
【００５５】
ステップＳ１１２では、ユーザによってなされる、今回のアルバム操作の対象とするアルバムの選択の指示を入力部５４から取得する処理が行われる。なお、このアルバムの選択は、図６におけるアルバム選択表示７３に対するポインタクリック操作等によってなされる。
【００５６】
ステップＳ１１３では、ＨＤＤ４１に格納されているフォルダのうち、前ステップの処理によって取得された指示に係るアルバムに対応するもの（このフォルダを「アルバムフォルダ」と称することとする）を参照する処理が行われる。
ステップＳ１１４では、参照中のアルバムフォルダ内に格納されている画像データファイルを読み出し、読み出した画像データファイルで表されている画像（この画像を「アルバム画像」と称することとする）の一覧を表示部５６に表示中のアルバム操作画面に表示させる処理が行われる。図６に示す画面例では、この画像の一覧をアルバム画像表示部７２に表示させる。また、このアルバムフォルダに表紙画像の画像データファイルが含まれている場合には、この画像データファイルで表されている表紙画像を表紙画像表示部７４に表示させる。
【００５７】
ステップＳ１１５では、入力部５４に対してなされた操作に対応するユーザからの指示を取得する処理が行われる。なお、図６に示す画面例においては、この指示は、画像追加指示ボタン７５、画像削除指示ボタン７６、表紙画像選択指示ボタン７７、タイトル入力指示ボタン７８、及びアルバム転送指示ボタン７９のうちのいずれかに対するクリック操作である。
【００５８】
ステップＳ１１６では、ステップＳ１１５の処理によって取得された指示が、図６においては画像追加指示ボタン７５に対するもの、すなわち撮影画像のアルバムへの追加の指示であったか否かを判定する処理が行われ、この判定結果がＹｅｓのときにのみ、ステップＳ１１７において、指示に係る撮影画像についての画像データファイルを現在参照中のアルバムフォルダへ移動させる処理が行われる。
【００５９】
なお、図６においては、画像追加指示ボタン７５として「すべて追加」ボタンと「追加」ボタンとが設けられている。「すべて追加」ボタンは、撮影画像についての画像データファイルを現在参照中のアルバムフォルダへ移動させる指示であり、「追加」ボタンは、入力部５４に対する操作によって撮影画像のうち予め選択されていたもののみについての画像データファイルを現在参照中のアルバムフォルダへ移動させる指示である。
【００６０】
また、図６に示す画面例においては、この画像データファイルの移動に併せ、指示に係る撮影画像の表示場所をアルバム画像表示部７２の画像一覧の最後尾へと撮影画像表示部７１から移動させる。
ステップＳ１１８では、ステップＳ１１５の処理によって取得された指示が、図６においては画像削除指示ボタン７６に対するもの、すなわちアルバム画像のアルバムからの削除の指示であったか否かを判定する処理が行われ、この判定結果がＹｅｓのときにのみ、ステップＳ１１９において、指示に係るアルバム画像についての画像データファイルを現在参照中のアルバムフォルダから削除する処理が行われる。
【００６１】
なお、図６においては、画像削除指示ボタン７５のクリックは、入力部５４に対する操作によってアルバム画像のうち予め選択されていたもののみについての画像データファイルを現在参照中のアルバムフォルダから削除する指示となる。
また、図６に示す画面例においては、この画像データファイルの削除に併せ、指示に係るアルバム画像の表示をアルバム画像表示部７２の画像一覧から消去する。
【００６２】
ステップＳ１２０では、ステップＳ１１５の処理によって取得された指示が表紙画像の作成に関するもの、図６においては表紙画像選択指示ボタン７７若しくはタイトル入力指示ボタン７８に対するものであったか否かを判定する処理が行われ、この判定結果がＹｅｓのときにのみ、ステップＳ１２１において、表紙画像処理が行われる。なお、この表紙画像作成処理の詳細は後述する。
【００６３】
処理は図５へ進み、ステップＳ１２２では、図４のステップＳ１１５の処理によって取得された指示が、図６においてはアルバム転送指示ボタン７９に対するもの、すなわちアルバムのカメラ１０への転送の指示であったか否かを判定する処理が行われ、この判定結果がＹｅｓのときにのみ、ステップＳ１２３において、アルバム転送処理が行われる。なお、このアルバム転送処理の詳細も後述する。
【００６４】
ステップＳ１２４では、図４のステップＳ１１５の処理によって取得された指示が、このアルバム操作処理の終了を示す指示であったか否かを判定する処理が行われる。そして、この判定結果がＹｅｓのときは、ステップＳ１２５において、表示部５６に表示させていたアルバム操作画面を閉じる処理が行われ、その後はこのアルバム操作処理が終了する。一方、このステップＳ１２４の判定結果がＮｏのときには図４のステップＳ１１５へ処理を戻して上述した処理を繰り返す。
【００６５】
以上までの処理がアルバム操作処理である。
次に、上述したアルバム操作処理におけるステップＳ１２１（図４）の処理である表紙画像作成処理について説明する。表紙画像作成処理の処理内容を図７にフローチャートで示す。
【００６６】
まず、ステップＳ１４１において、前述したアルバム操作処理におけるステップＳ１１５の処理によって取得された指示が、図６においてはタイトル入力指示ボタン７８に対するもの、すなわち既に設定済みである表紙画像に対するタイトルの入力の指示であったか否かを判定する処理が行われ、この判定結果がＹｅｓならばステップＳ１４９のタイトル合成処理に進む。このタイトル合成処理の詳細は後述する。一方、この判定結果がＮｏ、すなわち図６においては表紙画像選択指示ボタン７７に対するものであったならば、ステップＳ１４２に処理を進める。
【００６７】
ステップＳ１４２では表紙画像作成画面を開く（表示部５６に表示させる）処理が行われる。表紙画像作成画面を図８に例示する。
ステップＳ１４３では、現在参照中のアルバムフォルダ内の画像データファイルを全て読み出す処理が行われ、続くステップＳ１４４において、読み出された画像データファイルの各々で表されているアルバム画像の一覧を表示部５６で表示中の表紙画像作成画面に表示させる処理か行われる。図８の画面例においては、このアルバム画像の一覧は表紙画像候補表示部８１に表示される。ここで、これらのアルバム画像は表紙画像の候補であり、ユーザがこの中から１枚の画像を仮に選択する指示に対応する操作を入力部５４に対して行うと、その画像が表紙画像表示部８２に表示される。
【００６８】
ステップＳ１４５では、参照するフォルダを変更して表紙画像の候補の画像を変更する指示を取得したか否か、図８の画面例ではフォルダ設定部８３に対するクリック等の操作によって参照するフォルダを変更する指示を取得したか否かを判定する処理が行われる。そして、この判定結果がＹｅｓならば、ステップＳ１４６において、取得された指示に係るフォルダを参照する処理が行われた後、処理をステップＳ１４３へ戻して上述した処理を繰り返す。この処理は、アルバム操作の対象であるアルバムの表紙画像を、そのアルバムに含まれているアルバム画像以外のものから選択することを可能とするものである。一方、ステップＳ１４５の判定処理の結果かＮｏならばステップＳ１４７に処理を進める。
【００６９】
ステップＳ１４７では、表紙画像を決定する指示を取得したか否か、図８の画面例では決定ボタン８４に対する操作がなされたか否かを判定する処理が行われる。そして、この判定結果がＹｅｓならば、ステップＳ１４８において、決定指示に係る画像についての画像データファイルのファイル名を表紙画像についての画像データファイル（表紙画像データファイル）として読み出してＲＡＭ５３の所定の領域へ一時的に格納する処理が行われ、続くステップＳ１４９においてタイトル合成処理が行われ、その後はステップＳ１５１に処理を進める。なお、図６に示したアルバム操作画面の画面例においては、このときまで表示画像表示部７４に表示していた画像がこの決定指示に係る表紙画像に入れ替えられる。
【００７０】
一方、ステップＳ１４７の判定処理の結果がＮｏのときにはステップＳ１５０に処理を進める。
ステップＳ１５０では、表紙画像作成処理をキャンセルする指示を取得したか否か、図８の画面例ではキャンセルボタン８５に対する操作がなされたか否かを判定する処理が行われる。そして、この判定結果がＹｅｓならばステップＳ１５１に処理を進め、この判定結果がＮｏならばステップＳ１４５へ処理を戻して上述した処理を繰り返す。
【００７１】
ステップＳ１５１では、表示部５６に表示中の表紙画像作成画面を閉じる（消去する）処理が行われる。その後は表紙画像作成処理を終了して図４のアルバム操作処理へと処理を戻す。
以上までの処理が表紙画像作成処理である。
【００７２】
次に、上述した表紙画像作成処理におけるステップＳ１４９の処理であるタイトル合成処理について説明する。タイトル合成処理の処理内容を図９にフローチャートで示す。
まず、ステップＳ１６１において、タイトル入力画面を開く（表示部５６に表示させる）処理が行われる。タイトル入力画面を図１０に例示する。
【００７３】
ステップＳ１６２では、ユーザによって入力部５４に対してなされた操作に対応する文字列の入力内容を取得する処理が行われる。図１０に示す画面例では、このときに取得された文字列の内容が入力テキスト表示部８６に表示される。
ステップＳ１６３では、文字列の入力を終了し、タイトルとする文字列を決定させる指示を取得したか否か、図１０の画面例では決定ボタン８７に対する操作がなされたか否かを判定する処理が行われる。そして、この判定結果がＹｅｓならばステップＳ１６５に処理を進める。一方、この判定結果がＮｏならば、ステップＳ１６４において、タイトル合成処理をキャンセルする指示を取得したか否か、図１０の画面例ではキャンセルボタン８８に対する操作がなされたか否かを判定する処理が行われる。そして、この判定結果がＹｅｓならばステップＳ１６６に処理を進め、この判定結果がＮｏならばステップＳ１６２へ処理を戻して上述した処理を繰り返す。
【００７４】
ステップＳ１６５では、ステップＳ１６２の処理によって取得された文字列を表している文字列像を生成し、前述した表紙画像作成処理（図７）におけるステップＳ１４７の処理によってＲＡＭ５３の所定の領域に格納されている表紙画像データファイルで表されている表紙画像にこの生成された文字列像を重畳合成し、得られた合成画像についての画像データファイルを表紙画像データファイルとして改めてＲＡＭ５３の当該領域に格納する処理が行われる。なお、図１０の画面例では、この文字列像として、文字スタイル設定部８９で設定された形状・大きさ・色のものが生成される。
【００７５】
ステップＳ１６６では、ＲＡＭ５３の所定の領域に格納されている表紙画像データファイルに所定のファイル名を付与する処理が行われ、続くステップＳ１６７では、この表紙画像データファイルを現在参照中のアルバムフォルダに追加して格納する処理が行われる。なお、図６に示したアルバム操作画面の画面例においては、このときまで表示画像表示部７４に表示していた画像がこの文字合成がされた表示画像に入れ替えられる。
【００７６】
ステップＳ１６８では、表示部５６に表示中のタイトル入力画面を閉じる（消去する）処理が行われる。その後はタイトル合成処理を終了して図７の表紙画像作成処理へと処理を戻す。
以上までの処理がタイトル合成処理である。このようにして表紙画像にタイトルを表す文字列の像を合成することにより、漢字等の文字のフォントデータを有していないカメラ１０であってもアルバムのタイトルの表示が可能となり、そのタイトルを表す文字も多様なスタイルのものとして表示することができる。
【００７７】
次に、前述したアルバム操作処理におけるステップＳ１２３（図５）の処理であるアルバム転送処理について説明する。アルバム転送処理の処理内容を図１１にフローチャートで示す。
まず、ステップＳ１７１において、現在参照中のアルバムフォルダに対応するアルバムの名称を取得する処理が行われる。
【００７８】
ステップＳ１７２では、カメラ１０のメモリカード１１に格納されているアルバムリストファイル１５の送出の要求を示すカメラ１０宛のデータをＵＳＢＩ／Ｆ５７から送出する処理が行われる。この送出要求を受け取ったカメラ１０において行われる処理の詳細は後述する。
【００７９】
ステップＳ１７３では、上述した要求に応じてカメラ１０から送られてくるアルバムリストファイル１５をＵＳＢＩ／Ｆ５７に受信させて取得する処理が行われる。
なお、詳しくは後述するが、このとき、アルバムリストファイル１５が存在しない旨を通知するデータがカメラ１０から送られてくることもあるが、このデータが送られてきた場合には、この通知を受信させて取得する処理が行われる。そこで、ステップＳ１７４において、カメラ１０にアルバムリストファイル１５が存在していたか否かを判定する処理が行われ、存在していなかったとき（判定結果がＮｏ）のときにのみ、ステップＳ１７５において、アルバムリストファイル１５を新規作成する処理が行われる。
【００８０】
ステップＳ１７６では、アルバムリストファイル１５内のアルバムリスト１７におけるステップＳ１７１の処理で取得したアルバム名のアルバムについてのリストを参照し、そのリストに示されている画像データファイルのファイル名の並びの末尾に、現在参照中のＨＤＤ４１内のアルバムフォルダに含まれている画像データファイルのファイル名を１つずつ追記する処理が行われる。
【００８１】
ステップＳ１７７では、現在参照中のアルバムフォルダに表紙画像の画像データファイルが格納されているか否かを判定する処理が行われ、この判定結果がＹｅｓならばステップＳ１７８に、ＮｏならばステップＳ１８１に、それぞれ処理を進める。
ステップＳ１７８では、タイトル画像の転送指示を取得していたか否かを判定する処理が行われ、この判定結果がＹｅｓならばステップＳ１８０に、ＮｏならばステップＳ１７９に、それぞれ処理を進める。なお、このタイトル画像の転送指示は、図６に示したアルバム操作画面の画面例では、アルバム表紙画像作成チェックボックス８０にチェックマークが付されていたか否かによって判定する。
【００８２】
ステップＳ１７９では、現在参照中のアルバムフォルダに含まれている画像データファイルのうち、表紙画像についてのものを除いた全てをカメラ１０へ宛ててＵＳＢＩ／Ｆ５７から送出する処理が行われ、その後はステップＳ１８２に処理を進める。
ステップＳ１８０では、ステップＳ１７６の処理によってファイル名の追記を行ったアルバムのリストにおいて、現在参照中のアルバムフォルダに格納されている表紙画像の画像データファイルのファイル名をそのリストの先頭に移動して挿入する処理が行われる。この処理により、表紙画像の画像データファイルのファイル名がアルバムリスト１７におけるそのアルバムのリストの先頭に示されることとなる。
【００８３】
なお、このステップＳ１８０の処理の内容を変更し、現在参照中のアルバムフォルダに格納されている表紙画像の画像データファイルのファイル名をそのリストの末尾に移動して挿入する処理とすることにより、アルバム画像の逐次再生時に表紙画像をその最後に再生表示することができるようになる。これは、前述した処理によって作成した表紙画像をあたかもアルバムの裏表紙であるかのような感覚で扱うことを可能とするものである。
【００８４】
ステップＳ１８１では、現在参照中のアルバムフォルダに含まれている画像データファイルの全てをカメラ１０へ宛ててＵＳＢＩ／Ｆ５７から送出する処理が行われる。
ステップＳ１８２では、ファイル名のアルバムリスト１７への追記がされたアルバムリストファイル１５をカメラ１０へ宛ててＵＳＢＩ／Ｆ５７から送出する処理が行われ、その後はこのアルバム転送処理を終了して図５のアルバム操作処理へと処理を戻す。
【００８５】
以上までの処理がアルバム転送処理である。
次に、カメラ１０のＣＰＵ３０によって行われる制御処理について説明する。これらの処理は、いずれもＲＯＭ３１に格納されている制御プログラムをＣＰＵ３０が実行することによって実現される。
【００８６】
まず図１２にフローチャートで示すアルバム受信処理について説明する。この処理は、ＰＣ４０から送られてくるアルバムに関するデータをカメラ１０で受信するための処理であり、前述したアルバム転送処理がＰＣ４０で実行されてアルバムリストファイル１５の送出の要求を示すデータをＵＳＢＩ／Ｆ２９が受信したことがＣＰＵ３０によって検知されると開始される。
【００８７】
まず、ステップＳ２０１では、メモリカード１１を探索してアルバムリストファイル１５が格納されているか否かを判定する処理が行われ、格納されているとき（判定結果がＹｅｓのとき）にはステップＳ２０２においてアルバムリストファイル１５を読み出してＰＣ４０へ宛ててＵＳＢＩ／Ｆ２９から送出する処理が行われ、格納されていなかったとき（判定結果がＮｏのとき）にはアルバムリストファイル１５が存在しない旨を通知するデータをＰＣ４０へ宛ててＵＳＢＩ／Ｆ２９から送出する処理が行われる。このステップＳ２０２若しくはステップＳ２０３の処理によって送出したデータは、前述したアルバム転送処理におけるステップＳ１７３の処理を実行しているＰＣ４０によって受信される。
【００８８】
ステップＳ２０４では、ステップＳ２０２若しくはステップＳ２０３の処理によって送出したデータに応じてＰＣ４０から送られてくるデータをＵＳＢＩ／Ｆ２９に受信させて取得する処理が行われる。
ステップＳ２０５では、前ステップの処理によって取得されたデータが画像データファイルであるか否かを判定する処理が行われる。そして、この判定結果がＹｅｓのときは、ステップＳ２０６において、取得した画像データファイルをメモリカード１１の画像ルートフォルダ１２内の画像格納フォルダ１３に格納する処理が行われ、その後はステップＳ２０４へと処理を戻して上述した処理が繰り返す。
【００８９】
一方、ステップＳ２０５の判定結果がＮｏのときは、ステップＳ２０７において、ステップＳ２０４の処理によって取得されたデータがアルバムリストファイル１５であるか否かを判定する処理が行われる。前述したアルバム転送処理を実行しているＰＣ４０では、図１１のステップＳ１７９及びステップＳ１８１並びにステップＳ１８２の処理によって、転送対象である画像データファイルの送出を全て終えてからアルバムリストファイル１５が送出されるので、ステップＳ２０７の判定結果がＹｅｓの場合にはＰＣ４０で実行されているアルバム転送処理は終了したとみなされ、ステップＳ２０８に処理を進める。一方、ステップＳ２０７の判定結果がＮｏの場合にはステップＳ２０４へと処理を戻して上述した処理を繰り返す。
【００９０】
ステップＳ２０８では、ステップＳ２０４の処理によって取得されたアルバムリストファイル１５をメモリカードのルートディレクトリの直下に上書きする処理が行われる。但し、このとき、撮影リスト１６は上書き前のアルバムリストファイル１５に示されていたものがそのまま保持される。その後はこのアルバム受信処理が終了する。
【００９１】
以上までの処理がアルバム受信処理である。
次に図１３に処理内容をフローチャートで示しているアルバム再生処理について説明する。この処理は、ＰＣ４０から送られてきたアルバムをカメラ１０で閲覧するための処理である。
【００９２】
このアルバム再生処理は、ユーザが操作入力部３２を操作して図１４の（ａ）に例示するようなアルバム操作に関する機能選択画面を表示部２８に表示させていたときに、操作入力部３２に対する更なる操作によって「アルバム再生」なる機能が選択されたときに開始される。
【００９３】
まず、ステップＳ２１１においてアルバム選択処理が行われる。この処理はカメラ１０が保有している複数のアルバムのうちから閲覧するものを選択するための処理であり、その詳細は後述する。
ステップＳ２１２では、メモリカード１１に格納されているアルバムリストファイル１５に示されているアルバムリスト１７が参照され、ステップＳ２１１の処理によって選択されたアルバムに対応付けられて並べられているファイル名のうちの先頭のものを取得する処理が行われる。
【００９４】
ステップＳ２１３では、直前に実行された処理によって取得されたファイル名である画像データファイル１４−ｎをメモリカード１１の画像ルートフォルダ１２内から探し出して取得する処理が行われる。
ステップＳ２１４では、画像処理部２４及び表示処理部２７に指示を与え、前ステップで取得されたファイルで表されている画像を表示部２８に表示させる処理が行われる。
【００９５】
ステップＳ２１５では、ユーザによる操作入力部３２に対する操作によってなされる、表示部２８の表示画像を現在表示中のものからその前後のものへと変更させる指示を取得したか否かを判定する処理が行われ、この指示を取得した（判定結果がＹｅｓ）ならばステップＳ２１６に、この指示を取得していない（判定結果がＮｏ）ならばステップＳ２１７に、それぞれ処理を進める。
【００９６】
ステップＳ２１６では、メモリカード１１に格納されているアルバムリストファイル１５に示されているアルバムリスト１７が参照され、ステップＳ２１１の処理によって選択されたアルバムに対応付けられて並べられているファイル名のうち、ステップＳ２１５の処理によって取得したと判定された指示に係る順番のものを取得する処理が行われ、その後はステップＳ２１３へと処理を戻して上述した処理を繰り返す。
【００９７】
ステップＳ２１７では、ユーザによる操作入力部３２に対する操作によってなされる、アルバム再生の終了の指示を取得したか否かを判定する処理が行われ、この指示を取得した（判定結果がＹｅｓ）ならば、ステップＳ２１８において図１４（ａ）に示すようなアルバム操作機能選択画面を再度表示させる処理が行われ、その後はこのアルバム再生処理を終了する。一方、ステップＳ２１７の判定結果がＮｏならばステップＳ２１５へと処理を戻して上述した処理を繰り返す。
【００９８】
以上までの処理がアルバム再生処理である。
次に、上述したアルバム再生処理におけるステップＳ２１１の処理であるアルバム選択処理について説明する。アルバム選択処理の処理内容を図１５にフローチャートで示す。
まず、ステップＳ２２１において、アルバムリストファイル１５をメモリカード１１から読み出してアルバムリスト１７を参照する処理が行われる。
【００９９】
ステップＳ２２２では、ユーザによる操作入力部３２に対する操作によってなされる、アルバムの表紙画像の表示部２８への表示方法についての指示の内容がどのようなものであるかを判定する処理が行われる。ここで、当該指示の内容が、図１４（ｂ）に例示するような、複数のアルバムの表紙画像を一覧表示（インデックス表示）させる指示であればステップＳ２２３に処理を進め、一方、当該指示の内容が、図１４（ｃ）に例示するような、アルバムの表紙画像を１枚ずつ表示（１コマ表示）させる指示であればステップＳ２２８に処理を進める。
【０１００】
ステップＳ２２３では、アルバムリスト１７における各アルバムについての画像データファイル１４−ｎのファイル名の並びのうちの先頭のものを取得する処理が行われる。なお、この先頭のファイル名は、前述したアルバム転送処理におけるステップＳ１８０（図１１）の処理によって、各アルバムについての表紙画像の画像データファイル１４−ｎについてのものとなっている。
【０１０１】
ステップＳ２２４では、前ステップの処理によって取得されたファイル名である画像データファイル１４−ｎを、メモリカード１１の画像ルートフォルダ１２内から各々探し出して取得する処理が行われる。
ステップＳ２２５では、画像処理部２４及び表示処理部２７に指示を与え、前ステップの処理によって取得された画像データファイル１４−ｎで各々表されている表紙画像を表示部２８に表示させる処理が行われる。
【０１０２】
ステップＳ２２６では、ユーザによる操作入力部３２に対する操作によって、表示部２８に一覧表示されている表紙画像のうちの１つを選択する指示がなされたか否かを判定する処理が行われ、この指示がなされるまで（判定結果がＹｅｓとなるまで）このステップＳ２２６の処理を繰り返す。
【０１０３】
ステップＳ２２７では、ユーザによる操作入力部３２に対する操作によって、指示されている表紙画像のうちの１つの選択を決定させる指示を取得したか否かを判定する処理が行われ、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はステップＳ２２６へ処理を戻して上述した処理を繰り返す。
【０１０４】
ステップＳ２２８では、アルバムリスト１７におけるアルバム名「ＡＬＢＵＭ１」についての画像データファイル１４−ｎのファイル名の並びのうちの先頭のもの、すなわちこのアルバムについての表紙画像である画像データファイル１４−ｎのファイル名を取得する処理が行われる。
【０１０５】
ステップＳ２２９では、直前に実行された処理によって取得されたファイル名である画像データファイル１４−ｎを、メモリカード１１の画像ルートフォルダ１２内から探し出して取得する処理が行われる。
ステップＳ２３０では、画像処理部２４及び表示処理部２７に指示を与え、前ステップの処理によって取得された画像データファイル１４−ｎで表されている表紙画像を表示部２８に表示させる処理が行われる。
【０１０６】
ステップＳ２３１では、ユーザによる操作入力部３２に対する操作によって、表示部１８に代表画像を表示中であるアルバムとは異なる他のアルバムを選択する指示を取得したか否かを判定する処理が行われ、この指示を取得したとき（判定結果がＹｅｓとなったとき）は、ステップＳ２３２においてアルバムリスト１７における当該指示に係るアルバム名についての画像データファイル１４−ｎのファイル名の並びのうちの先頭のものを取得する処理が行われ、その後はステップＳ２２９へ処理を戻して上述した処理を繰り返す。
【０１０７】
一方、ステップＳ２３１においてそのような指示を取得していない（判定結果がＮｏのとき）は、ステップＳ２３３において、ユーザによる操作入力部３２に対する操作によって、指示されている表紙画像のうちの１つの選択を決定させる指示を取得したか否かを判定する処理が行われる。ここで、この決定指示がなされたとき（判定結果がＹｅｓとなったとき）はこのアルバム選択処理を終了して図１３のアルバム再生処理へと処理を戻す。一方、この決定指示がなされていないとき（判定結果がＮｏのとき）はステップＳ２３１へ処理を戻して上述した処理を繰り返す。
【０１０８】
以上までの処理がアルバム選択処理である。
以上までに説明した各種の処理がＰＣ４１のＣＰＵ５１とカメラ１０のＣＰＵ３０とで各々行われることにより、メモリカード１１の記録量の消費を抑制しつつアルバムとそのアルバムについての表紙画像との関係を管理することができるようになる。
【０１０９】
なお、上述した実施形態においては、アルバムの作成・編集をＰＣ４０上で行わせるようにしていたが、図４、図５、図７、図９に示した各処理をカメラ１０のＣＰＵ３０で行わせるようにすることにより、アルバムの作成・編集をカメラ１０上で行わせるようにすることもできる。また、上述した実施形態においては、代表画像の表示を含むアルバムの再生をカメラ１０で行うようにしていたが、図１１及び図１２に示した各処理をＰＣ４１のＣＰＵ５１で行わせるようにすることにより、代表画像の表示を含むアルバムの再生をＰＣ４０で行うようにすることもできる。
【０１１０】
次に、図１６乃至図３３を用いて、上述のアルバム選択処理の変形例について説明する。
図１６は、複数のアルバムの表紙画像を一覧表示させた際に、選択された画像に対応するアルバムに登録されている画像数も表示する処理の流れを示すフローチャートである。
【０１１１】
図１６に示したフローチャートにおいて、ステップＳ２２１乃至ステップＳ２２６、ステップＳ２２７、およびステップＳ２２８乃至ステップＳ２３３までのステップは、図１５を用いて説明したアルバム再生処理の各ステップと同様であるので説明を省略し、本変形例で新たに加わるステップＳ２４１乃至ステップＳ２４３のステップを中心に説明する。
【０１１２】
まず、図１５を用いて説明したステップＳ２２６で、表示部２８に一覧表示されている表紙画像のうちの１つを選択する指示がなされたら（ステップＳ２２６：Ｙｅｓ）、ステップステップＳ２４１において、選択された表示画像に対応するアルバムのアルバムリスト１７内に登録されている画像数を取得する（変数Ａに代入しておく）。
【０１１３】
次に、ステップＳ２４２において、１つのアルバムに登録することが可能な画像の枚数である最大登録枚数を取得する（変数Ｂに代入しておく）。ここでは全アルバムに渡って予め定められている値として１００枚とする。すなわち、Ｂ＝１００である。
そして、ステップＳ２４３において、ステップＳ２２５で一覧表示されている画面の所定の位置に、例えば、「Ａ／Ｂ」というような表記で表示する。
【０１１４】
図１７は、一覧表示とともに登録画像数を表示している表示例を示す図である。
図１７の左側およそ３分の２の領域には、図１４（ｂ）の例示と同様に複数のアルバムの表紙画像が一覧表示（インデックス表示）され、右側の上方には、選択されたアルバムに登録されている画像数を示す例として「１５」という数字と最大登録枚数を示す例として「１００」という数字が表示されている。
【０１１５】
図１８は、複数のアルバムの表紙画像を一覧表示させた際に、選択された画像に対応するアルバムにさらに登録することが可能な画像数も表示する処理の流れを示すフローチャートである。
図１８に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ２５１およびステップＳ２５２は、それぞれ図１６のステップＳ２４１およびステップＳ２４２と同様であり、これらのステップによって登録されている画像数が変数Ａに代入され、最大登録枚数が変数Ｂに代入される。
【０１１６】
そして、ステップＳ２５３において、選択された表紙画像に対応するアルバムにあと何枚画像を登録することができるのかを示す残り登録可能枚数を変数Ｃとして、最大登録枚数から現在登録されている画像数を減算した値（Ｂ−Ａの値）を代入する。
次に、ステップＳ２５４でＣに代入された値が０か否かを判定し、０でなければ（判定結果がＮｏのとき）ステップＳ２５５において、ステップＳ２２５で一覧表示されている画面の所定の位置に、変数Ｃに代入されている値を表示する。一方、Ｃに代入された値が０あれば（判定結果がＹｅｓのとき）ステップＳ２５６において、ステップＳ２２５で一覧表示されている画面の所定の位置に、例えば「登録不可」というようなメッセージを表示する。
【０１１７】
図１９は、一覧表示とともに残り登録可能枚数を表示している表示例を示す図である。
図１９の右側の上方には、選択されたアルバムにあと何枚画像を登録することができるのかを示す残り登録可能枚数を示す例として「８５」という数字が表示されている。
図２０は、アルバムの表紙画像を１枚ずつ表示（１コマ表示）させた際に、そのアルバムに登録されている画像数も表示する処理の流れを示すフローチャートである。
【０１１８】
図２０に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ２６１、Ｓ２６２およびＳ２６３は、それぞれ図１６のステップＳ２４１、Ｓ２４２およびＳ２４３と同様である。
【０１１９】
念のために説明しておくと、ステップＳ２２８でアルバムについての表紙画像である画像データファイル１４−ｎのファイル名を取得した後、ステップＳ２６１およびステップＳ２６２によって、登録されている画像数が変数Ａに代入され、最大登録枚数が変数Ｂに代入される。
【０１２０】
また、ステップＳ２３０で取得された画像データファイル１４−ｎで表されている表紙画像を表示部２８に表示させた後、ステップＳ２６３において、その画面の所定の位置に、例えば、「Ａ／Ｂ」というような表記で表示する。
図２１は、１コマ表示とともに登録画像数を表示している表示例を示す図である。
【０１２１】
図２１の左側およそ３分の２の領域には、図１４（ｃ）の例示と同様にアルバムの表紙画像が１枚ずつ表示（１コマ表示）され、右側の上方には、そのアルバムに登録されている画像数を示す例として「１５」という数字と最大登録枚数を示す例として「１００」という数字が表示されている。
【０１２２】
図２２は、アルバムの表紙画像を１枚ずつ表示（１コマ表示）させた際に、そのアルバムにさらに登録することが可能な画像数も表示する処理の流れを示すフローチャートである。
図２２に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ２７１乃至Ｓ２７３、およびステップＳ２７４乃至Ｓ２７６は、それぞれ図１８のステップＳ２５１乃至Ｓ２５３、およびステップＳ２５４乃至Ｓ２５６と同様である。
【０１２３】
念のために説明しておくと、ステップＳ２２８でアルバムについての表紙画像である画像データファイル１４−ｎのファイル名を取得した後、ステップＳ２７１乃至Ｓ２７３によって、登録されている画像数が変数Ａに代入され、最大登録枚数が変数Ｂに代入され、そのアルバムにあと何枚画像を登録することができるのかを示す残り登録可能枚数が変数Ｃとして求められる。
【０１２４】
また、ステップＳ２３０で取得された画像データファイル１４−ｎで表されている表紙画像を表示部２８に表示させた後、ステップＳ２７４において、Ｃに代入された値が０か否かを判定する。そして、０でなければ（ステップＳ２７４：Ｎｏ）ステップＳ２７５において、ステップＳ２２５で一覧表示されている画面の所定の位置に、変数Ｃに代入されている値を表示する。一方、Ｃに代入された値が０あれば（ステップＳ２７４：Ｙｅｓ）ステップＳ２７６において、ステップＳ２２５で一覧表示されている画面の所定の位置に、例えば「登録不可」というようなメッセージを表示する。
【０１２５】
図２３は、１コマ表示とともに残り登録可能枚数を表示している表示例を示す図である。
図２３の右側の上方には、選択されたアルバムにあと何枚画像を登録することができるのかを示す残り登録可能枚数を示す例として「８５」という数字が表示されている。
【０１２６】
図２４は、複数のアルバムの表紙画像を一覧表示させた際に、選択された画像に対応するアルバムに登録されている画像数およびこれらの画像が撮影された期間も表示する処理の流れを示すフローチャートである。
図２４に示したフローチャートにおいて、ステップＳ２２１乃至ステップＳ２２６、ステップＳ２２７、およびステップＳ２２８乃至ステップＳ２３３までのステップは、図１５を用いて説明したアルバム再生処理の各ステップと同様であるので説明を省略し、ステップＳ２８１乃至ステップＳ２８６のステップを中心に説明する。
【０１２７】
まず、図１５を用いて説明したステップＳ２２６で、表示部２８に一覧表示されている表紙画像のうちの１つを選択する指示がなされたら（ステップＳ２２６：Ｙｅｓ）、ステップステップＳ２８１において、選択された表示画像に対応するアルバムのアルバムリスト１７内に登録されている画像数を取得する（変数Ａに代入しておく）。
【０１２８】
次に、ステップＳ２８２において、１つのアルバムに登録することが可能な画像の枚数である最大登録枚数を取得する（変数Ｂに代入しておく）。ここでは全アルバムに渡って予め定められている値として１００枚とする。すなわち、Ｂ＝１００である。
さらに、ステップＳ２８３において、選択された表示画像に対応するアルバムのアルバムリスト１７内に登録されている画像の中で最も古い日時を取得し、ステップＳ２８４において、選択された表示画像に対応するアルバムのアルバムリスト１７内に登録されている画像の中で最も新しい日時を取得する。
【０１２９】
そして、ステップＳ２８５において、ステップＳ２２５で一覧表示されている画面の所定の位置に、例えば、「Ａ／Ｂ」というような表記で表示するとともに、ステップＳ２８６において、最も古い日時と最も新しい日時を撮影期間として表示する。
図２５は、一覧表示とともに登録画像数および撮影期間を表示している表示例を示す図である。
【０１３０】
図２５の左側およそ３分の２の領域には、図１４（ｂ）の例示と同様に複数のアルバムの表紙画像が一覧表示（インデックス表示）され、右側の上方には、選択されたアルバムに登録されている画像数を示す例として「１５」という数字と最大登録枚数を示す例として「１００」という数字が表示され、さらに、その下方には、撮影期間を示す例として「２００３．１０．２２〜２００３．１０．２５」という情報が表示されている。この撮影期間を示す情報は、２００３年１０月２２日から２００３年１０月２５日を意味しているが、例えば、西暦の下２桁と、年月および時刻を表示するようにしてもよい。
【０１３１】
図２６は、アルバムの表紙画像を１枚ずつ表示（１コマ表示）させた際に、そのアルバムに登録されている画像数およびこれらの画像が撮影された期間も表示する処理の流れを示すフローチャートである。
図２６に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ２９１乃至Ｓ２９４、およびステップＳ２９５乃至Ｓ２９６は、それぞれ図２４のステップＳ２８１乃至Ｓ２８４、およびステップＳ２８５乃至Ｓ２８６と同様である。
【０１３２】
念のために説明しておくと、ステップＳ２２８でアルバムについての表紙画像である画像データファイル１４−ｎのファイル名を取得した後、ステップＳ２９１乃至ステップＳ２９４によって、登録されている画像数が変数Ａに代入され（ステップＳ２９１）、最大登録枚数が変数Ｂに代入され（ステップＳ２９２）、最も古い日時を取得し（ステップＳ２９３）、最も新しい日時を取得する（ステップＳ２９４）。
【０１３３】
また、ステップＳ２３０で取得された画像データファイル１４−ｎで表されている表紙画像を表示部２８に表示させた後、ステップＳ２９５およびＳ２９６において、その画面の所定の位置に、例えば、「Ａ／Ｂ」というような表記で表示し、撮影期間を示す例として「２００３．１０．２２〜２００３．１０．２５」という情報を表示する。
【０１３４】
図２７は、複数のアルバムの表紙画像を一覧表示させた際に、選択された画像に対応するアルバムに登録されている画像数およびアルバムが作成された日も表示する処理の流れを示すフローチャートである。
図２７に示したフローチャートにおいて、ステップＳ２２１乃至ステップＳ２２６、ステップＳ２２７、およびステップＳ２２８乃至ステップＳ２３３までのステップは、図１５を用いて説明したアルバム再生処理の各ステップと同様であるので説明を省略し、ステップＳ３０１乃至ステップＳ３０５のステップを中心に説明する。
【０１３５】
まず、図１５を用いて説明したステップＳ２２６で、表示部２８に一覧表示されている表紙画像のうちの１つを選択する指示がなされたら（ステップＳ２２６：Ｙｅｓ）、ステップステップＳ３０１において、選択された表示画像に対応するアルバムのアルバムリスト１７内に登録されている画像数を取得し（変数Ａに代入しておく）、ステップＳ３０２において、１つのアルバムに登録することが可能な画像の枚数である最大登録枚数を取得する（変数Ｂに代入しておく）。ここでは全アルバムに渡って予め定められている値として１００枚とする。すなわち、Ｂ＝１００である。
【０１３６】
さらに、ステップＳ３０３において、選択された表示画像に対応するアルバムのアルバムリスト１７内に登録されているアルバム作成日時を取得する。
そして、ステップＳ３０４において、ステップＳ２２５で一覧表示されている画面の所定の位置に、例えば、「Ａ／Ｂ」というような表記で表示するとともに、ステップＳ３０５において、アルバム作成日時を表示する。
【０１３７】
図２８は、一覧表示とともに登録画像数およびアルバム作成日を表示している表示例を示す図である。
図２８の左側およそ３分の２の領域には、図１４（ｂ）の例示と同様に複数のアルバムの表紙画像が一覧表示（インデックス表示）され、右側の上方には、選択されたアルバムに登録されている画像数を示す例として「１５」という数字と最大登録枚数を示す例として「１００」という数字が表示され、さらに、その下方には、アルバムの作成日時を示す例として「２００３．１０．２２」という情報が表示されている。このアルバム作成日時を示す情報は、２００３年１０月２２日を意味しているが、例えば、西暦の下２桁と、年月および時刻を表示するようにしてもよい。
【０１３８】
図２９は、アルバムの表紙画像を１枚ずつ表示（１コマ表示）させた際に、そのアルバムに登録されている画像数およびアルバムが作成された日も表示する処理の流れを示すフローチャートである。
図２９に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ３１１乃至Ｓ３１３、およびステップＳ３１４乃至Ｓ３１５は、それぞれ図２７のステップＳ３０１乃至Ｓ３０３、およびステップＳ３０４乃至Ｓ３０５と同様である。
【０１３９】
念のために説明しておくと、ステップＳ２２８でアルバムについての表紙画像である画像データファイル１４−ｎのファイル名を取得した後、ステップＳ３１１乃至ステップＳ３１３によって、登録されている画像数が変数Ａに代入され（ステップＳ３１１）、最大登録枚数が変数Ｂに代入され（ステップＳ３１２）、アルバム作成日時を取得する（ステップＳ３１３）。
【０１４０】
また、ステップＳ２３０で取得された画像データファイル１４−ｎで表されている表紙画像を表示部２８に表示させた後、ステップＳ３１４およびＳ３１５において、その画面の所定の位置に、例えば、「Ａ／Ｂ」というような表記で表示し、アルバム作成日時を示す例として「２００３．１０．２２」という情報を表示する。
【０１４１】
図３０は、複数のアルバムの表紙画像を一覧表示させた際に、選択された画像に対応するアルバムに登録されている画像数およびアルバム容量等も表示する処理の流れを示すフローチャートである。
図３０に示したフローチャートにおいて、ステップＳ２２１乃至ステップＳ２２６、ステップＳ２２７、およびステップＳ２２８乃至ステップＳ２３３までのステップは、図１５を用いて説明したアルバム再生処理の各ステップと同様であるので説明を省略し、ステップＳ３２１乃至ステップＳ３２９のステップを中心に説明する。
【０１４２】
まず、図１５を用いて説明したステップＳ２２６で、表示部２８に一覧表示されている表紙画像のうちの１つを選択する指示がなされたら（ステップＳ２２６：Ｙｅｓ）、ステップステップＳ３２１において、選択された表示画像に対応するアルバムのアルバムリスト１７内に登録されている画像数を取得し（変数Ａに代入しておく）、ステップＳ３２２において、１つのアルバムに登録することが可能な画像の枚数である最大登録枚数を取得する（変数Ｂに代入しておく）。ここでは全アルバムに渡って予め定められている値として１００枚とする。すなわち、Ｂ＝１００である。
【０１４３】
さらに、アルバムリスト１７から、選択された表示画像に対応するアルバムが保存されているフォルダ名を取得し（ステップＳ３２３）、アルバムが使用している容量、すなわちアルバムに登録されている各画像の容量の合計を取得し（ステップＳ３２４）、アルバム内の画像のヘッダ部からアルバム内画像の品質および枚数を取得する（ステップＳ３２５）。
【０１４４】
そして、ステップＳ２２５で一覧表示されている画面上に、ステップＳ３２６において、例えば画像枚数を「Ａ／Ｂ」というような表記で、ステップＳ３２７において、アルバムが保存されているフォルダ名を、ステップＳ３２８において、アルバムで使用している容量を、ステップＳ３２９において、アルバム内の画像品質を例えば「品質：枚数」というような表記で、それぞれ所定の位置に表示する。
【０１４５】
図３１は、一覧表示とともに登録画像数およびアルバム容量等を表示している表示例を示す図である。
図３１の左側およそ３分の２の領域には、図１４（ｂ）の例示と同様に複数のアルバムの表紙画像が一覧表示（インデックス表示）され、右側の上方には、選択されたアルバムに登録されている画像数を示す例として「１５」という数字と最大登録枚数を示す例として「１００」という数字が表示され、さらに、その下方には、アルバムが保存されているフォルダ名を示す例として「１００ＯＬＹＭＰ」が、アルバムで使用している容量を示す例として「１０ＭＢ」が、アルバム内の画像品質を示す例として枚数とともに「ＳＨＱ：１３枚」「ＨＱ：２枚」等という情報が表示されている。なお、これらの情報は一覧として一括表示してもよいし、個別に表示しても構わない。
【０１４６】
図３２は、アルバムの表紙画像を１枚ずつ表示（１コマ表示）させた際に、そのアルバムに登録されている画像数およびアルバム容量等も表示する処理の流れを示すフローチャートである。
図３２に示したフローチャートにおいて、ステップＳ２２１乃至ステップＳ２２６、ステップＳ２２７、およびステップＳ２２８乃至ステップＳ２３３までのステップは、図１６のフローチャートと同様、図１５を用いて説明したアルバム再生処理の各ステップと同様であるので説明を省略する。さらにステップＳ３３１乃至Ｓ３３５、およびステップＳ３３６乃至Ｓ３３９は、それぞれ図３０のステップＳ３２１乃至Ｓ３２５、およびステップＳ３２６乃至Ｓ３２９と同様である。
【０１４７】
念のために説明しておくと、ステップＳ２２８でアルバムについての表紙画像である画像データファイル１４−ｎのファイル名を取得した後、ステップＳ３３１乃至ステップＳ３３５によって、登録されている画像数が変数Ａに代入され（ステップＳ３３１）、最大登録枚数が変数Ｂに代入され（ステップＳ３３２）、アルバムリスト１７から、選択された表示画像に対応するアルバムが保存されているフォルダ名を取得し（ステップＳ３３３）、アルバムが使用している容量を取得し（ステップＳ３３４）、アルバム内の画像のヘッダ部からアルバム内画像の品質および枚数を取得する（ステップＳ３３５）。
【０１４８】
また、ステップＳ２３０で取得された画像データファイル１４−ｎで表されている表紙画像を表示部２８に表示させた後、その画面上に、ステップＳ３３６において、例えば画像枚数を「Ａ／Ｂ」というような表記で、ステップＳ３３７において、アルバムが保存されているフォルダ名を、ステップＳ３３８において、アルバムで使用している容量を、ステップＳ３３９において、アルバム内の画像品質を例えば「品質：枚数」というような表記で、それぞれ所定の位置に表示する。
【０１４９】
以上、図１６乃至図３２を用いて、アルバム選択処理の変形例について説明してきたが、これらの各変形例を任意に組み合わせることによりアルバム選択処理を実行してもよい。また、他にアルバムに関連している項目であれば、上述の各変形例での各項目以外の項目を表示するようにしてもよい。
【０１５０】
図３３は、一覧表示とともに登録画像数および撮影期間をはじめ様々な情報を表示している表示例を示す図である。
図３３の左側およそ３分の２の領域には、図１４（ｂ）の例示と同様に複数のアルバムの表紙画像が一覧表示（インデックス表示）され、右側の上方には、選択されたアルバムに登録されている画像数を示す例として「１５」という数字と最大登録枚数を示す例として「１００」という数字が表示され、さらに、その下方には、撮影期間を示す例として「０３．１０．２２〜０３．１０．２５」という情報が、アルバムが保存されているフォルダ名を示す例として「１００ＯＬＹＭＰ」が、アルバムで使用している容量を示す例として「１０ＭＢ」が、アルバム内の画像品質を示す例として枚数とともに「ＳＨＱ：１３枚」「ＨＱ：２枚」等という情報が表示されている。
【０１５１】
以上、図面を参照しながら本発明の実施の形態について説明してきた。特に、図１６乃至図３３を用いてアルバム選択処理の変形例について説明してきたが、その中で１つのアルバムに登録することが可能な画像数として、全アルバムに渡って「１００枚」が予め定められているとしてきた。しかしながら、ユーザにとっては、あるアルバムは１０枚程度画像が登録できれば要求を満足できるが、別のアルバムには１５０枚位登録したいという要求が出てくる。そこで、この最大登録枚数をアルバム間で調整する処理について、図３４乃至図３７を用いて説明する。
【０１５２】
図３４は、最大登録枚数調整処理（その１）の流れを示すフローチャートである。
まず、ステップＳ３４１において、メディア全体の容量を取得し（変数Ｍに代入しておく）、ステップＳ３４２において、そのうちアルバムとして使用する容量の割合を決定（指定）する（変数αに百分率で代入しておく）。例えば、図３５（ａ）に示したようなボタンを用いて入力する。
【０１５３】
また、ステップＳ３４３において、メディアの残り容量（使用していない部分の容量）を取得する（変数Ｍ0 に代入しておく）。
そして、ステップＳ３４４において、アルバムとして使用するだけの容量がメディアに残っているかを判定する。すなわち、Ｍ0が０．０１α×Ｍより大きいかを判定する。
【０１５４】
ステップＳ３４４でアルバムとして使用するだけの容量がメディアに残っていると判定された場合（判定結果がＹｅｓ）は、ステップＳ３４５において、画像を一枚登録するのに必要な容量を取得し（変数ｘに代入しておく）、ステップＳ３４６において、アルバムの総数を所得し（変数Ａに代入する）、ステップＳ３４７において、アルバムに登録することが可能な最大の枚数Ｎを計算により求める。すなわち、Ｎ＝（０．０１αＭ）／（ｘＡ）を求める。
【０１５５】
そして、ステップＳ３４８において、アルバムに登録することが可能かを判定する。すなわち、Ｎが１より大きいかを判定する。
ステップＳ３４８でＮが１より大きいと判定された場合（判定結果がＹｅｓ）は、ステップＳ３４９において、現時点での各アルバムの最大登録枚数を取得し（それぞれ変数ｍ1 〜ｍA に代入しておく）、ステップＳ３５０において、ステップＳ３４７で求めた値を最大登録枚数として設定する（ｍ1 〜ｍA に代入する）。
【０１５６】
この処理により、アルバム領域をメディア内でどのくらい確保するか設定することができる。
図３６は、最大登録枚数調整処理（その２）の流れを示すフローチャートである。
まず、ステップＳ３５１において、画像を追加しないアルバムを選択し、ステップＳ３５２において、そのアルバムに登録することが可能な残り登録可能数を取得する（変数ｎに代入しておく）。
【０１５７】
そして、ステップＳ３５３において、そのアルバムに登録することが可能かを判定する。すなわち、ｎが０でないかを判定する。
ステップＳ３５３でｎが０でないならば（判定結果がＹｅｓ）、ステップＳ３５４において、他の全てのアルバムに均等に割振るのか特定のアルバムに割振るのかを判定する。例えば、ユーザからの指示により判定する。
【０１５８】
ステップＳ３５４で他の全てのアルバムに均等に割振ると判定された場合（判定結果が均等割振り）、ステップＳ３５５において、残りのアルバムの数を取得し（変数Ａに代入しておく）、ステップＳ３５６において、各アルバムに上乗せできる枚数Ｎを計算により求める。すなわち、Ｎ＝ｎ／Ａを求める。
【０１５９】
そして、ステップＳ３５７において、上乗せできる枚数があるのかを判定する。すなわち、Ｎが１より大きいかを判定する。
ステップＳ３５７で上乗せできると判定された場合（判定結果がＹｅｓ）は、ステップＳ３５８において、現時点での各アルバムの最大登録枚数を取得し（それぞれ変数ｍ1 〜ｍA に代入しておく）、ステップＳ３５９において、各最大登録枚数（ｍ1 〜ｍA ）にＮを加算して最大登録枚数とする。
【０１６０】
一方、ステップＳ３５４で特定のアルバムに割振ると判定された場合（判定結果がアルバム選択）、ステップＳ３６０において、上述のアルバム選択処理を実行し、ステップＳ３６１において、選択されたアルバムの最大登録枚数を取得する（変数ｍ0 に代入しておく）。
【０１６１】
そして、ステップＳ３６２において、その最大登録枚数ｍ0 にＮを加算して最大登録枚数とする。
この処理により、追加登録がないアルバムの余りを他アルバムに均等に上乗せするか、追加登録がないアルバムの余りを特定のアルバムに上乗せすることができる。
【０１６２】
図３７は、最大登録枚数調整処理（その３）の流れを示すフローチャートである。
まず、ステップＳ３７１において、最大登録枚数を減らすアルバムを選択し、ステップＳ３７２において、その選択されたアルバムの現時点での最大登録枚数を取得する（変数ｕに代入しておく）。さらに、ステップＳ３７３において、そのアルバムに登録されている画像の枚数を取得し（変数ｓに代入しておく）、ステップＳ３７４において、減らそうとしている枚数を取得する（変数ｎに代入しておく）。
【０１６３】
そして、ステップＳ３７５において、そのアルバムに登録することが可能かを判定する。すなわち、ｎが０でないかを判定する。
ステップＳ３７５でｎが０でないならば（判定結果がＹｅｓ）、ステップＳ３７６において、そのアルバムで最大登録枚数を実際に減らすことができるかを判定する。すなわち、現時点での最大登録枚数から登録されている画像の枚数を減算した値が減らそうとしている枚数以上であるか（ｎ≦ｕ−ｓか）を判定する。
【０１６４】
そして、ステップＳ３７６でそのアルバムで最大登録枚数を実際に減らすことができると判定された場合（判定結果がＹｅｓ）は、ステップＳ３７７において、他の全てのアルバムに均等に割振るのか特定のアルバムに割振るのかを判定する。例えば、ユーザからの指示により判定する。
【０１６５】
ステップＳ３７７で他の全てのアルバムに均等に割振ると判定された場合（判定結果が均等割振り）、ステップＳ３７８において、残りのアルバムの数を取得し（変数Ａに代入しておく）、ステップＳ３７９において、各アルバムに上乗せできる枚数Ｎを計算により求める。すなわち、Ｎ＝ｎ／Ａを求める。
【０１６６】
そして、ステップＳ３８０において、上乗せできる枚数があるのかを判定する。すなわち、Ｎが１より大きいかを判定する。
ステップＳ３８０で上乗せできると判定された場合（判定結果がＹｅｓ）は、ステップＳ３８１において、現時点での各アルバムの最大登録枚数を取得し（それぞれ変数ｍ1 〜ｍA に代入しておく）、ステップＳ３８２において、各最大登録枚数（ｍ1 〜ｍA ）にＮを加算して最大登録枚数とする。
【０１６７】
一方、ステップＳ３７７で特定のアルバムに割振ると判定された場合（判定結果がアルバム選択）、ステップＳ３８３において、上述のアルバム選択処理を実行し、ステップＳ３８４において、選択されたアルバムの最大登録枚数を取得する（変数ｍ0 に代入しておく）。
【０１６８】
そして、ステップＳ３８５において、その最大登録枚数ｍ0 にＮを加算して最大登録枚数とする。
この処理により、任意のアルバムにおいて、任意の余り分を他アルバムに均等に上乗せ、または特定のアルバムに上乗せする
なお、アルバム枚数登録は上記項目だけで構成されるものではなく、それぞれの項目を組み合わせて任意の設定を可能にしても構わない。
【０１６９】
以上、本発明の実施の形態を説明してきたが、本発明が適用されるデジタルカメラ、アルバム管理方法、およびアルバム管理プログラムは、その機能が実行されるのであれば、上述の実施の形態に限定されることはなく、本発明の要旨を逸脱しない範囲内で種々の構成または形状を取ることができる。
【図面の簡単な説明】
【０１７０】
【図１】アルバム機能の実施例の概要を説明するための図である。
【図２】図１に示したカメラ及びＰＣのハードウェア構成を示す図である。
【図３】撮影画像取得処理の処理内容を示すフローチャートである。
【図４】アルバム操作処理の処理内容を示すフローチャート（その１）である。
【図５】アルバム操作処理の処理内容を示すフローチャート（その２）である。
【図６】アルバム操作画面の画面例を示す図である。
【図７】表紙画像作成処理の処理内容を示すフローチャートである。
【図８】表紙画像作成画面の画面例を示す図である。
【図９】タイトル合成処理の処理内容を示すフローチャートである。
【図１０】タイトル入力画面の画面例を示す図である。
【図１１】アルバム転送処理の処理内容を示すフローチャートである。
【図１２】アルバム受信処理の処理内容を示すフローチャートである。
【図１３】アルバム再生処理の処理内容を示すフローチャートである。
【図１４】カメラでの表示画面例を示す図である。
【図１５】アルバム選択処理の処理内容を示すフローチャートである。
【図１６】複数のアルバムの表紙画像を一覧表示させた際に、選択された画像に対応するアルバムに登録されている画像数も表示する処理の流れを示すフローチャートである。
【図１７】一覧表示とともに登録画像数を表示している表示例を示す図である。
【図１８】複数のアルバムの表紙画像を一覧表示させた際に、選択された画像に対応するアルバムにさらに登録することが可能な画像数も表示する処理の流れを示すフローチャートである。
【図１９】一覧表示とともに残り登録可能枚数を表示している表示例を示す図である。
【図２０】アルバムの表紙画像を１枚ずつ表示（１コマ表示）させた際に、そのアルバムに登録されている画像数も表示する処理の流れを示すフローチャートである。
【図２１】１コマ表示とともに登録画像数を表示している表示例を示す図である。
【図２２】アルバムの表紙画像を１枚ずつ表示（１コマ表示）させた際に、そのアルバムにさらに登録することが可能な画像数も表示する処理の流れを示すフローチャートである。
【図２３】１コマ表示とともに残り登録可能枚数を表示している表示例を示す図である。
【図２４】複数のアルバムの表紙画像を一覧表示させた際に、選択された画像に対応するアルバムに登録されている画像数およびこれらの画像が撮影された期間も表示する処理の流れを示すフローチャートである。
【図２５】一覧表示とともに登録画像数および撮影期間を表示している表示例を示す図である。
【図２６】アルバムの表紙画像を１枚ずつ表示（１コマ表示）させた際に、そのアルバムに登録されている画像数およびこれらの画像が撮影された期間も表示する処理の流れを示すフローチャートである。
【図２７】複数のアルバムの表紙画像を一覧表示させた際に、選択された画像に対応するアルバムに登録されている画像数およびアルバムが作成された日も表示する処理の流れを示すフローチャートである。
【図２８】一覧表示とともに登録画像数およびアルバム作成日を表示している表示例を示す図である。
【図２９】アルバムの表紙画像を１枚ずつ表示（１コマ表示）させた際に、そのアルバムに登録されている画像数およびアルバムが作成された日も表示する処理の流れを示すフローチャートである。
【図３０】複数のアルバムの表紙画像を一覧表示させた際に、選択された画像に対応するアルバムに登録されている画像数およびアルバム容量等も表示する処理の流れを示すフローチャートである。
【図３１】一覧表示とともに登録画像数およびアルバム容量等を表示している表示例を示す図である。
【図３２】アルバムの表紙画像を１枚ずつ表示（１コマ表示）させた際に、そのアルバムに登録されている画像数およびアルバム容量等も表示する処理の流れを示すフローチャートである。
【図３３】一覧表示とともに登録画像数および撮影期間をはじめ様々な情報を表示している表示例を示す図である。
【図３４】最大登録枚数調整処理（その１）の流れを示すフローチャートである。
【図３５】最大登録枚数の調整値の入力の仕方を説明するための図である。
【図３６】最大登録枚数調整処理（その２）の流れを示すフローチャートである。
【図３７】最大登録枚数調整処理（その３）の流れを示すフローチャートである。
【図３８】アルバム機能搭載カメラにおける画像データ管理の手法を説明する図である。
【符号の説明】
【０１７１】
１０    カメラ
１１    メモリカード
１２    画像ルートフォルダ
１３    画像格納フォルダ
１４−１、１４−２、１４−ｎ    画像データファイル
１５    アルバムリストファイル
１６    撮影リスト
１７    アルバムリスト
２１    レンズ
２２    撮像部
２３    撮像処理部
２４    画像処理部
２５    ＲＡＭ
２６    メモリＩ／Ｆ部
２７    表示処理部
２８    表示部
２９    ＵＳＢＩ／Ｆ
３０    ＣＰＵ
３１    ＲＯＭ
３２    操作入力部
３３    バス
４０    ＰＣ
４１    ＨＤＤ
４２    撮影画像フォルダ
４３−１、４３−２、４３−ｎ    撮影画像データファイル
５１    ＣＰＵ
５２    ＲＯＭ
５３    ＲＡＭ
５４    入力部
５５    データ読取装置
５６    表示部
５７    ＵＳＢＩ／Ｆ
５８    バス
６０    ＵＳＢバス
７１    撮影画像表示部
７２    アルバム画像表示部
７３    アルバム選択表示
７４    表紙画像表示部
７５    画像追加指示ボタン
７６    画像削除指示ボタン
７７    表紙画像選択指示ボタン
７８    タイトル入力指示ボタン
７９    アルバム転送指示ボタン
８０    アルバム表紙作成チェックボックス
８１    表紙候補画像表示部
８２    表紙画像表示部
８３    フォルダ設定部
８４    決定ボタン
８５    キャンセルボタン
８６    入力テキスト表示部
８７    決定ボタン
８８    キャンセルボタン
８９    文字スタイル設定部
【図１】
2005286682.tif 000003
【図２】
2005286682.tif 000004
【図３】
2005286682.tif 000005
【図４】
2005286682.tif 000006
【図５】
2005286682.tif 000007
【図６】
2005286682.tif 000008
【図７】
2005286682.tif 000009
【図８】
2005286682.tif 000010
【図９】
2005286682.tif 000011
【図１０】
2005286682.tif 000012
【図１１】
2005286682.tif 000013
【図１２】
2005286682.tif 000014
【図１３】
2005286682.tif 000015
【図１４】
2005286682.tif 000016
【図１５】
2005286682.tif 000017
【図１６】
2005286682.tif 000018
【図１７】
2005286682.tif 000019
【図１８】
2005286682.tif 000020
【図１９】
2005286682.tif 000021
【図２０】
2005286682.tif 000022
【図２１】
2005286682.tif 000023
【図２２】
2005286682.tif 000024
【図２３】
2005286682.tif 000025
【図２４】
2005286682.tif 000026
【図２５】
2005286682.tif 000027
【図２６】
2005286682.tif 000028
【図２７】
2005286682.tif 000029
【図２８】
2005286682.tif 000030
【図２９】
2005286682.tif 000031
【図３０】
2005286682.tif 000032
【図３１】
2005286682.tif 000033
【図３２】
2005286682.tif 000034
【図３３】
2005286682.tif 000035
【図３４】
2005286682.tif 000036
【図３５】
2005286682.tif 000037
【図３６】
2005286682.tif 000038
【図３７】
2005286682.tif 000039
【図３８】
2005286682.tif 000040